(57)【要約】【課題】湿式現像処理を行わなくても、観察に適した画像を表示できる記録媒体を提供する。【解決手段】濃度の異なる３以上の黒インクをインクジェット方式で記録媒体に吐出し画像を形成し記録する医用画像記録システムである。画像記録媒体の画像の形成されていない画像未形成部が、蛍光灯光源によって透過された際のｈａｂが２３０度以上２５０度以下の範囲に収まるように、記録媒体が形成されている。Ｌ＊が２０から、蛍光灯光源によって画像未形成部が透過された際のＬ＊の値までの範囲では、蛍光灯光源によって透過された際のｈａｂが、画像未形成部のｈａｂに対して±１５度の範囲に収まるように、記録媒体に画像形成する。【選択図】          図１
2004181812.tif 000002
【特許請求の範囲】
【請求項１】
濃度の異なる３以上の黒インクをそれぞれ別個に吐出する複数のインクジェットヘッドと、
前記インクジェットヘッドを走査するインクジェットヘッド走査手段と、
光透過性の記録媒体をインクジェットヘッドの走査方向に対して略垂直に走査する記録媒体搬送手段と、
前記インクジェットヘッド及び前記記録媒体搬送手段を制御して、前記濃度の異なる黒インクを前記記録媒体に吐出して画像を記録させる制御手段と、
を有する医用画像形成システムであって、
前記記録媒体は、その前記記録媒体の画像未形成部が、蛍光灯光源の透過光に基づくｈａｂ（ＣＩＥＬＡＢの表色系で定義される心理的色相角度：ｈａｂ＝ｔａｎ−１（ｂ＊／ａ＊））が２３０度以上２５０度以下の範囲に収まるように形成され、
前記濃度の異なる３以上の黒インク及び画像形成時におけるこれらインクの組み合わせが、
前記記録媒体の画像形成部における前記透過光に基づくＬ＊（ＣＩＥＬＡＢの表色系で定義される明度Ｌ＊）が２０から、前記画像未形成部における前記透過光に基づくＬ＊の値までの範囲では、前記透過光に基づくｈａｂが、前記画像未形成部のｈａｂに対して±１５度の範囲に収まるように選択されていることを特徴とする医用画像記録システム。
【請求項２】
請求項１記載の医用画像記録システムにおいて、
前記濃度の異なる３以上の黒インク及び画像形成時におけるこれらインクの組み合わせが、
前記画像形成部における前記透過光に基づくＬ＊が２０から、前記画像未形成部における前記透過光に基づくＬ＊の値までの範囲では、前記透過光に基づくｈａｂが、前記画像未形成部のｈａｂに対して±１０度の範囲に収まるように選択されていることを特徴とする医用画像記録システム。
【請求項３】
請求項１又は２記載の医用画像記録システムにおいて、
前記濃度の異なる３以上の黒インク及び画像形成時におけるこれらインクの組み合わせが、
前記画像形成部における前記透過光に基づくＬ＊が２０から、前記画像未形成部における前記透過光に基づくＬ＊の値までの範囲では、前記透過光に基づくａ＊がＬ＊の減少に伴って徐々に増加するように選択されていることを特徴とする医用画像記録システム。
【請求項４】
請求項１〜３のいずれか一項に記載の医用画像記録システムにおいて、
前記濃度の異なる３以上の黒インク及び画像形成時におけるこれらインクの組み合わせが、
前記画像形成部における前記透過光に基づくＬ＊が２０から、前記画像未形成部における前記透過光に基づくＬ＊の値までの範囲では、前記透過光に基づく（ａ＊２＋ｂ＊２）０．５がＬ＊の減少に伴って徐々に減少するように選択されていることを特徴とする医用画像記録システム。
【請求項５】
請求項１〜４のいずれか一項に記載の医用画像記録システムにおいて、
前記黒インクは、色相の異なる複数の色材を含有し、前記濃度の異なる３以上の前記黒インクのうち、少なくとも２つの前記黒インクにおける前記複数の色材の含有量の比率が異なることを特徴とする医用画像記録システム。
【請求項６】
請求項１〜５のいずれか一項に記載の医用画像記録システムにおいて、
前記黒インクは、色相の異なる複数の色材を含有し、前記濃度の異なる３以上の前記黒インクのいずれにおいても、前記複数の色材の含有量の比率が異なることを特徴とする医用画像記録システム。
【請求項７】
請求項５又は６に記載の医用画像記録システムにおいて、
前記黒インクは、インク濃度の増大に伴って、イエロー色材の含有量に対するマゼンタ色材の含有量の比が単調非増加することを特徴とする医用画像記録システム。
【請求項８】
請求項１〜７のいずれか一項に記載の医用画像記録システムにおいて、
前記記録媒体は、前記画像未形成部におけるＱファクタが１．００以上１．５０以下であり、
前記蛍光灯光源により透過された際のＬ＊が４０となるように画像形成された画像形成部分のＱファクタが１．００以上１．２０以下であることを特徴とする医用画像記録システム。
【請求項９】
請求項１〜８のいずれか一項に記載の医用画像記録システムにおいて、
前記記録媒体の前記画像未形成部におけるヘーズが５％以上１５％以下であることを特徴とする医用画像記録システム。
【請求項１０】
濃度の異なる３以上の黒インクを、光透過性の記録媒体に吐出して画像を記録する医用画像記録方法であって、
前記記録媒体は、その前記記録媒体の画像未形成部が、蛍光灯光源の透過光に基づくｈａｂが２３０度以上２５０度以下の範囲に収まるように形成され、
前記濃度の異なる３以上の黒インク及び画像形成時におけるこれらインクの組み合わせが、
前記記録媒体の画像形成部における前記透過光に基づくＬ＊が２０から、前記画像未形成部における前記透過光に基づくＬ＊の値までの範囲では、前記透過光に基づくｈａｂが、前記画像未形成部のｈａｂに対して±１５度の範囲に収まるように選択されていることを特徴とする医用画像記録方法。
【発明の詳細な説明】
【０００１】
【発明の属する技術分野】
本発明は、医用画像記録システム及び医用画像記録方法に係り、特にインクジェット方式を適用した医用画像記録システム及び医用画像記録方法に関する。
【０００２】
【従来の技術】
従来、医療の診断を行う際に用いられるデジタル医療用画像を記録するためには、湿式現像処理により画像が湿式銀塩のフィルムに画像を記録するようにしていた。この湿式現像処理には、現像処理のための水道配管等が必要であるので設置場所が限定され、また現像処理で廃液が排出されるので環境にもよくなかった。
そこで、レーザなどの光で画像情報を潜像として記録した後、加熱して現像する方式、あるいはサーマルヘッドを用いて熱で画像情報を記録する方式等のいわゆるドライ銀塩記録方式が開発され、湿式現像処理を必要としない医用画像記録システムが普及しつつある（例えば特許文献１参照）。
【０００３】
【特許文献１】
特開２０００−２９１６４号公報
【０００４】
【発明が解決しようとする課題】
しかし、特許文献１に記載の、湿式現像処理を必要としない医用画像記録システムで得られた画像は、医用診断に耐えられるものの、必ずしも全てにおいて医師が満足するものではなかった。
【０００５】
その要因として本発明者は、画像濃度の変化に伴う位相角ｈａｂ（ＣＩＥＬＡＢの表色系で定義される心理的位相角度：ｈａｂ＝ｔａｎ−１（ｂ＊／ａ＊）の変化に着目した。
図７は、湿式銀塩処理を用いた医用画像記録システム及びドライ銀塩方式を適用した医用画像記録システム（２方式）で、記録媒体に画像を記録した際の画像濃度の変化に伴う位相角ｈａｂの変化を表したものである。なお、画像濃度は図中の矢印Ａ、Ｂ、Ｃに沿って濃くなり、明度Ｌ＊は低くなる。
湿式銀塩処理を用いた医用画像記録システムであれば、図７に示すように、画像濃度が変化しても位相角ｈａｂは、ほとんど変わらないのに対し、ドライ銀塩方式を適用した医用画像記録システムでは、いずれの方式においても画像濃度の変化に伴って、位相角ｈａｂが大きく変化してしまう。このように、位相角ｈａｂの変化量が大きいと画像の色調変化も大きくなり、多くの場合、画像濃度の増加に伴って赤みを帯びてくる。この色調変化が診断者に違和感を与えていたのである。
【０００６】
特許文献１では、記録媒体のｈａｂに着目し、好ましい範囲を規定しているが、画像濃度がどのくらいの場合にその範囲を満たせばよいかには言及していない。また、画像濃度（または）明度の変化に伴うｈａｂの変化はどうあるべきかを示唆していないし、ｈａｂの算出に用いるａ＊、ｂ＊を求める際の光源についても言及していない。
【０００７】
本発明の課題は、湿式現像処理を行わなくても、観察に適した画像を表示できる医用画像記録システム及び医用画像記録方法を提供することである。
【０００８】
【課題を解決するための手段】
請求項１記載の発明は、
濃度の異なる３以上の黒インクをそれぞれ別個に吐出する複数のインクジェットヘッドと、
前記インクジェットヘッドを走査するインクジェットヘッド走査手段と、
光透過性の記録媒体をインクジェットヘッドの走査方向に対して略垂直に走査する記録媒体搬送手段と、
前記インクジェットヘッド及び前記記録媒体搬送手段を制御して、前記濃度の異なる黒インクを前記記録媒体に吐出して画像を記録させる制御手段と、
を有する医用画像形成システムであって、
前記記録媒体は、その前記記録媒体の画像未形成部が、蛍光灯光源の透過光に基づくｈａｂ（ＣＩＥＬＡＢの表色系で定義される心理的色相角度：ｈａｂ＝ｔａｎ−１（ｂ＊／ａ＊））が２３０度以上２５０度以下の範囲に収まるように形成され、
前記濃度の異なる３以上の黒インク及び画像形成時におけるこれらインクの組み合わせが、
前記記録媒体の画像形成部における前記透過光に基づくＬ＊（ＣＩＥＬＡＢの表色系で定義される明度Ｌ＊）が２０から、前記画像未形成部における前記透過光に基づくＬ＊の値までの範囲では、前記透過光に基づくｈａｂが、前記画像未形成部のｈａｂに対して±１５度の範囲に収まるように選択されていることを特徴としている。
【０００９】
本発明者は、インクジェット方式を用いれば、湿式現像処理を行わなくとも画像を記録媒体に形成し記録できることに着目した。そして、記録媒体の画像形成部における透過光に基づくＬ＊が２０から、画像未形成部における透過光に基づくＬ＊の値までの範囲では、透過光に基づくｈａｂが、画像未形成部のｈａｂに対して±１５度の範囲に収まるように、濃度の異なる３以上の黒インクが選択されていたり、画像形成時におけるこれらインクの組み合わせが選択されていたりするので、Ｌ＊の変化、つまり画像濃度の変化に伴うｈａｂの変化量を小さくすることができる。このため、蛍光灯光源で透過された画像は、安定した色調で表示され、診断者に違和感を与えることなく画像を表示することができる。したがって、湿式現像処理を行わなくとも、観察に適した画像を表示できる。
【００１０】
請求項１記載の医用画像記録システムにおいて、
前記濃度の異なる３以上の黒インク及び画像形成時におけるこれらインクの組み合わせが、
前記画像形成部における前記透過光に基づくＬ＊が２０から、前記画像未形成部における前記透過光に基づくＬ＊の値までの範囲では、前記透過光に基づくｈａｂが、前記画像未形成部のｈａｂに対して±１０度の範囲に収まるように選択されていることを特徴としている。
【００１１】
請求項２記載の発明によれば、画像形成部における透過光に基づくＬ＊が２０から、画像未形成部における透過光に基づくＬ＊の値までの範囲では、透過光に基づくｈａｂが、画像未形成部のｈａｂに対して±１０度の範囲に収まるように、濃度の異なる３以上の黒インクが選択されていたり、画像形成時におけるこれらインクの組み合わせが選択されていたりするので、ｈａｂの変化量をさらに小さくすることができ、より観察に適した画像を表示することができる。
【００１２】
請求項３記載の発明は、請求項１又は２記載の医用画像記録システムにおいて、
前記濃度の異なる３以上の黒インク及び画像形成時におけるこれらインクの組み合わせが、
前記画像形成部における前記透過光に基づくＬ＊が２０から、前記画像未形成部における前記透過光に基づくＬ＊の値までの範囲では、前記透過光に基づくａ＊がＬ＊の減少に伴って徐々に増加するように選択されていることを特徴としている。
【００１３】
請求項３記載の発明によれば、画像形成部における透過光に基づくＬ＊が２０から、画像未形成部における透過光に基づくＬ＊の値までの範囲では、透過光に基づくａ＊がＬ＊の減少に伴って徐々に増加するように、濃度の異なる３以上の黒インクが選択されていたり、画像形成時におけるこれらインクの組み合わせが選択されていたりするので、蛍光灯光源で透過された画像は、Ｌ＊の減少に伴って徐々に色味（特に緑から無色に向かって）がなくなるように表示される。このため、透過された画像は安定した色調で表示され、診断者に違和感を与えることなく画像を表示することができる。
【００１４】
請求項４記載の発明は、請求項１〜３のいずれか一項に記載の医用画像記録システムにおいて、
前記濃度の異なる３以上の黒インク及び画像形成時におけるこれらインクの組み合わせが、
前記画像形成部における前記透過光に基づくＬ＊が２０から、前記画像未形成部における前記透過光に基づくＬ＊の値までの範囲では、前記透過光に基づく（ａ＊２＋ｂ＊２）０．５がＬ＊の減少に伴って徐々に減少するように選択されていることを特徴としている。
【００１５】
請求項４記載の発明によれば、画像形成部における透過光に基づくＬ＊が２０から、画像未形成部における透過光に基づくＬ＊の値までの範囲では、透過光に基づく（ａ＊２＋ｂ＊２）０．５がＬ＊の減少に伴って徐々に減少するように、濃度の異なる３以上の黒インクが選択されていたり、画像形成時におけるこれらインクの組み合わせが選択されていたりするので、Ｌ＊の減少に伴って徐々に色味（特に緑から無色や青から無色に向かって）がなくなるように表示される。このため、透過された画像は安定した色調で表示され、診断者に違和感を与えることなく画像を表示することができる。
【００１６】
請求項５記載の発明は、請求項１〜４のいずれか一項に記載の医用画像記録システムにおいて、
前記黒インクは、色相の異なる複数の色材を含有し、前記濃度の異なる３以上の前記黒インクのうち、少なくとも２つの前記黒インクにおける前記複数の色材の含有量の比率が異なることを特徴としている。
【００１７】
請求項５記載の発明によれば、濃度の異なる３以上の黒インクのうち、少なくとも２つの黒インクにおける複数の色材の含有量の比率が異なるので、濃度が異なるものの、複数の色材の含有量の比率が同じ３以上の黒インクを用いた場合よりもｈａｂの変化を小さくすることが容易となる。
【００１８】
請求項６記載の発明によれば、請求項１〜５のいずれか一項に記載の医用画像記録システムにおいて、
前記黒インクは、色相の異なる複数の色材を含有し、前記濃度の異なる３以上の前記黒インクのいずれにおいても、前記複数の色材の含有量の比率が異なることを特徴としている。
【００１９】
請求項６記載の発明によれば、濃度の異なる３以上の黒インクのいずれにおいても、複数の色材の含有量の比率が異なるので、人間の目や蛍光灯光源の分光特性等を考慮することがより容易となる。
【００２０】
請求項７記載の発明は、請求項５又は６に記載の医用画像記録システムにおいて、
前記黒インクは、インク濃度の増大に伴って、イエロー色材の含有量に対するマゼンタ色材の含有量の比が単調非増加することを特徴としている。
【００２１】
請求項７記載の発明によれば、黒インクは、インク濃度の増大に伴って、イエロー色材の含有量に対するマゼンタ色材の含有量の比が単調非増加するので、Ｌ＊の変化、つまり画像濃度の変化に伴うｈａｂの変化量をより小さくすることができる。
【００２２】
請求項８記載の発明は、請求項１〜７のいずれか一項に記載の医用画像記録システムにおいて、
前記記録媒体は、前記画像未形成部におけるＱファクタが１．００以上１．５０以下であり、
前記蛍光灯光源により透過された際のＬ＊が４０となるように画像形成された画像形成部分のＱファクタが１．００以上１．２０以下であることを特徴としている。
【００２３】
本発明者は、蛍光灯光源により透過された際のＬ＊が４０となるように画像形成された画像形成部分のＱファクタが１．００以上１．２０以下であれば、観察光源の光拡散状態によらず安定した濃度階調で画像を表示できることを突き止めた。
つまり、請求項８記載の発明によれば、光散乱に起因する黄濁が抑えられて、画像形成後の画像濃度の低い部分であっても好ましい色調にすることができ、また、観察光源の光拡散状態によらず安定した濃度階調で画像を表示できる。したがって、湿式現像処理を行わなくとも、観察に適した画像を表示できる。
【００２４】
請求項９記載の発明は、請求項１〜８のいずれか一項に記載の医用画像記録システムにおいて、
前記記録媒体の前記画像未形成部におけるヘーズが５％以上１５％以下であることを特徴としている。
【００２５】
本発明者は、画像未形成部のヘーズが５％以上１５％以下であれば、画像成形後の低濃度部分の淡い陰影が観察しやすいことを突き止めた。
つまり、請求項９記載の発明によれば、低濃度部分においても淡い陰影が観察しやすく、診断性を高めることができる。
【００２６】
請求項１０記載の発明は、
濃度の異なる３以上の黒インクを、光透過性の記録媒体に吐出して画像を記録する医用画像記録方法であって、
前記記録媒体は、その前記記録媒体の画像未形成部が、蛍光灯光源の透過光に基づくｈａｂが２３０度以上２５０度以下の範囲に収まるように形成され、
前記濃度の異なる３以上の黒インク及び画像形成時におけるこれらインクの組み合わせが、
前記記録媒体の画像形成部における前記透過光に基づくＬ＊が２０から、前記画像未形成部における前記透過光に基づくＬ＊の値までの範囲では、前記透過光に基づくｈａｂが、前記画像未形成部のｈａｂに対して±１５度の範囲に収まるように選択されていることを特徴としている。
【００２７】
請求項１０記載の発明によれば、請求項１記載の発明と同等の作用、効果を奏することができる。
【００２８】
【発明の実施の形態】
以下、図面を参照して本発明の実施の形態について詳細に説明する。なお、本発明は、以下に示す実施の形態に記載された具体例の構成や動作や数値などに限定されるものではない。
【００２９】
先ず、本実施の形態の医用画像記録システムに用いられるインクジェット方式の画像記録装置について、図１を参照して説明する。
【００３０】
この実施の形態の画像記録装置１００は、外部の医用撮影装置やストレージ装置からの画像信号が入力され、必要な画像処理を実行する画像処理手段１１０と、インクの吐出により記録媒体４に画像記録を行うインクジェットヘッドユニット１２０と、インクジェットヘッドユニット１２０を主走査方向に走査するインクジェットヘッド走査手段１４０と、記録媒体４を副走査方向に搬送する搬送ローラ１３０と、各部を制御する制御手段１０１とを備える。
【００３１】
画像処理手段１１０に入力される外部からの画像信号は、各種ネットワークを介したものであってもよい。この画像処理手段１１０で処理されて得られた画像信号が制御手段１０１に送られる。
【００３２】
インクジェットヘッドユニット１２０には、４種類の濃度の異なる黒インクＫ１〜Ｋ４をそれぞれ別個に吐出する複数のインクジェットヘッド１２０ａ〜１２０ｄが一列に設けられており、制御手段１０１から画像信号に応じたインクジェットヘッド制御信号が供給されている。これらのインクジェットヘッド１２０ａ〜１２０ｄは、一体化されていてもよいし、個別に設けられていてもよい。このように、４種類の異なる黒インクを用いて画像を形成することで、医療用診断もしくは参照を目的とする画像として、一層高画質、多階調の画像を得ることができる。多階調が要求される医療用の画像を作成するためには、少なくても３〜４種類の濃度の異なる黒インクを使用することが望ましい。
【００３３】
インクジェットヘッドのインク射出機構はピエゾ効果を用いたものでも、瞬時にインクを加熱したとき生ずる気泡（バブル）形成の力を用いたインクジェット方式でもよい。ノズル孔は６４〜５１２個程度が医療用インクジェットとして適切である。インク滴の飛翔速度は２〜２０ｍ／ｓが好ましく、射出１滴のインク量は１〜５０ピコリットルが好ましい。
【００３４】
搬送ローラ１３０は、記録媒体搬送信号に基づき、記録媒体４を矢印Ａ方向へ搬送する。
インクジェットヘッド走査手段１４０は、インクジェットヘッドユニット１２０を、搬送ローラ１３０による記録媒体４の搬送方向に対して直交する方向Ｂに走査させるように配置されている。
ここで、インクジェットヘッド走査手段１４０はヘッド走査信号に基づきインクジェットヘッドユニット１２０を矢印Ｂ方向へ走査させ、各インクジェットヘッド１２０ａ〜１２０ｄはインクジェットヘッド制御信号に基づき記録媒体４上に画像を形成する。制御手段１０１には、画像処理手段１１０から画像信号が送られ、この画像処理手段１１０には、外部の撮影装置やストレージ装置からの画像信号が入力される。なお、画像処理手段に対する入力はネットワークを介したものであってもよい。
【００３５】
次に、本実施の形態の医用画像記録システムで用いられる透過性の記録媒体について説明する。
記録媒体は、インクジェット方式で吐出された液状インクにより実質的にモノクロ画像が描かれる。この記録媒体は、実用上１５×１０ｃｍ以上の面積をもつシート状で、四角にアール状の切り欠きを有するものであり、７５〜２５０μｍの厚さを有する光透過性の樹脂よりなる支持体と、支持体の少なくとも１面に形成され、インクを吸収して画像を記録するインク吸収層とを備える。なお、厚さが７５μｍより薄いとシートが垂れ下がり取り扱い難く、逆に２５０μｍより厚くなると、重ねて持ち歩く時など、かなりの重量となる欠点がある。
なお、この記憶媒体にカラー画像を描くことも可能であり、記録媒体の形状も上記した形状でなくとも形成画像や画像記録装置等に対応するように適宜変更してもよい。
また、この記録媒体に表裏の区別が付くようにマーク（例えばノッチ等）を設けておくことが好ましい。こうすることで、短時間に多数の記録媒体を扱うときであっても表裏を簡単に判断でき、作業が効率よく行える。
【００３６】
支持体は、ポリエチレンテレフタレート（ＰＥＴ）等のポリエステル類、ニトロセルロース、セルロースアセテート等のセルロースエステル類、さらにポリスルホン、ポリイミド、ポリカーボネート等により形成される。具体的には特開平１０−７６７５１号公報に記載のものを用いることが好ましい。
この支持体のインク吸収層が設けられる面には、インク吸収層との接着性を向上させるために、コロナ放電処理、火炎処理、紫外線照射処理等を施しておく。
また、支持体の一面だけに対してインク吸収層が設けられる場合には、他面に対して、カールを防止するためにゼラチン又は水溶性樹脂等を塗布する。なお、この支持体の他面には、帯電防止加工、着色加工、他の記録媒体とのくっつきを防止するために平均粒径５〜１００μｍのマット粒子を表面に分散するマット加工、酸化チタン粒子や酸化亜鉛粒子などの酸化金属粒子を添加すること等を施すことも可能である。
【００３７】
支持体は青色に着色されていることが好ましく、着色に用いる染料として好ましくは、吸収極大が、５７０〜７００μｍにある染料であって、例えばアントラキノン型、アゾ型、アゾメチン型、インドアニリン型、オキソノール型、トリフェニルメタン型、カルボシアニン型、スチリル型等の中から所望の吸収極大値を有したものを選択できる。染料は、支持体に含有させる場合は練り込んだり、背面層に含有させるためには、疎水性染料を固体分散したり、疎水性染料を高沸点溶媒及び／または低沸点溶媒を用いて分散し分散液の形で使用することができる。
本発明の実施に好ましく用いられる染料の具体例を以下Ｎｏ．１〜Ｎｏ．９に示すが、これらに限定されるものではない。
【００３８】
【化１】
2004181812.tif 000003
【００３９】
【化２】
2004181812.tif 000004
【００４０】
インク吸収層は、空隙率４０〜９０％を有する三次元網目構造の空隙型インク吸収層であり、表面には、他の記録媒体とのくっつきを防止するために、平均粒径５〜１００μｍのマット粒子を分散している。
空隙型インク吸収層は、膜厚が２０μｍ以上５０μｍ以下となるように、無機微粒子（例えばシリカ微粒子等）及び／又は有機微粒子と、高分子バインダー（例えば水溶性樹脂等）とを主成分として形成されている。なお帯電防止剤として、界面活性剤を添加、あるいは表面に塗布してもよい。
ここで無機微粒子及び／又は有機微粒子の平均一次粒径（凝集前の各微粒子の粒径の平均）は、１５ｎｍ以下が好ましく、本実施の形態ではさらに好ましい値８ｎｍ以下としている。平均粒径は一般的な方法で測定でき、本実施の形態では透過型電子顕微鏡写真を撮り、その写真の単位視野あたりに観察される粒子の数（ｎ）及び粒径（直径Ｘｉ）を求め、次式により平均粒径を算出した。（式中Ｘｉはｉ番目の粒子の径を表す。
【００４１】
【数１】
2004181812.tif 000005
【００４２】
また、無機微粒子及び／又は有機微粒子と、水溶性樹脂との質量比が１．２：１〜１２．１：１の範囲内に収まることが好ましい。
【００４３】
インク吸収層の三次元網目構造による空隙は、複数の細孔から形成されている。この複数の細孔は、平均直径が４〜４０ｎｍであるとともに、細孔容量が０．３〜１．０ｍｌ／ｇであることが好ましい。またこのインク吸収層の比表面積は５０〜５００ｍ２／ｇのであることが好ましい。このようにインク吸収層が空隙型インク吸収層であるので、記録媒体に着弾したインクを効率よく吸収することができる。
【００４４】
シリカ微粒子は無機珪酸であり、その表面が１ｎｍ２当たり２〜３個のシラロール基を有する。そして上記した三次元網目構造は、シリカ微粒子が凝集し１０〜１００ｎｍの平均粒径を有する二次粒子の連結により形成される鎖からなることが好ましい。
なお無機微粒子としては、無機珪酸以外にも、例えばコロイダルシリカ、珪酸カルシウム、ゼオライト、カオリナイト、ハロサイト、白雲母、タルク、炭酸カルシウム、硫酸カルシウム、酸化アルミニウム等を用いてもよい。
【００４５】
水溶性樹脂としては、ポリビニルアルコールが好ましい。他の高分子バインダーとしては、例えばゼラチンや特開平７−２７６７８９号公報に開示さるものが挙げられる。
【００４６】
ここで、本実施形態の記録媒体は光透過性であり、画像が形成されていない画像未形成部のＬ＊が６５以上９０以下となるように構成されていることが好ましい。また、記録媒体は、画像未形成部のＱファクタが１．００以上１．５０以下となるように構成されている。なおかつ、明度Ｌ＊が４０となるように画像形成された際のＱファクタが１．００以上１．２０以下になるように構成されている。
【００４７】
そして、Ｌ＊、Ｑファクタが上記範囲に収まるように形成された記録媒体は、ＪＩＳに規格されるＦ６もしくはＦ１０の蛍光灯光源により、画像が形成されていない画像未形成部で透過された際のｈａｂが２３０度以上２５０度以下の範囲（図２）となるように構成される。これにより、画像形成後の記録媒体の背景部分（画像未形成部）が、青色となるので、透過光により眩惑されることを防止し、観察に適した形成画像を表示することができる。また、観察時に目の疲れない色調で画像を表示できる。
【００４８】
ここで、Ｌ＊、ａ＊、ｂ＊はＣＩＥ（国際証明委員会）が奨励するＣＩＥＬＡＢ表色系で定義されており、Ｌ＊は明度、ａ＊は赤−緑の寄与率の尺度、ｂ＊は黄−青の寄与率の尺度を表している。また、ｈａｂは心理的色相角度であり、ｈａｂ＝ｔａｎ−１（ｂ＊／ａ＊）で定義される。ａ＊、ｂ＊及びｈａｂは光源の分光特性が異なると必ずしも同じ値にはならないが、以下、本明細書では特に断らない限り、Ｆ６蛍光灯光源（普通形白色蛍光灯）もしくはＦ１０蛍光灯光源（三波長域発光形蛍光灯）における２°視野のａ＊、ｂ＊、及びｈａｂである。Ｆ６蛍光灯光源の分光特性及びＦ１０蛍光灯光源の分光特性はＪＩＳ  Ｚ  ８７１９−１９９６（条件等色指数−証明光条件等色度の評価方法）に規定されており、表１に示す相対分光分布を有する。
【００４９】
【表１】
2004181812.tif 000006
【００５０】
具体的には、例えばＬ＊、Ｑファクタ、ｈａｂが上記範囲に収まるように、支持体の着色及び／又はインク吸収層の着色や厚みを決めることにより、記録媒体を形成すればよい。
このように、記録媒体のＬ＊、Ｑファクタ、ｈａｂが上記範囲内に収まるように構成されているので、光散乱に起因する黄濁が抑えられて、画像形成後の画像濃度の低い部分であっても好ましい色調にすることができ、また、観察光源の光拡散状態によらず安定した濃度階調で画像を表示できる。したがって、湿式現像処理を行わなくとも、観察に適した画像を表示できる。
【００５１】
さらに、未形成状態におけるヘーズが５％以上１５％以下の範囲に収まるように、記録媒体を形成することが好ましい。こうすることで、低濃度部分においても淡い陰影が観察しやすく、診断性を高めることができる。
記録媒体のＬ＊、Ｑファクタ、ｈａｂ、ヘーズの値は、上述した着色や厚みの設定だけでなく、インク吸収層の原材料の選定によっても調整できる。また、同じ原材料を用いても、インク吸収層の形成プロセスの違いによってＱファクタ及びヘーズの値を異ならせることも可能である。例えば、インク吸収層の塗布液を作成する際の脱泡が重要で、分散時の吸引や分散後の濾過などを十分に行うことによって、塗布液中の気泡を除去でき、Ｑファクタ及びヘーズを好ましい値に調製することができる。
【００５２】
ここで、記録媒体の拡散透過濃度及びＱファクタは、ＪＩＳ  Ｋ７１０５−１９８１規定の測定方法で求められた全光線透過率、拡散透過率、平行光線透過率を基に算出される。なお、拡散透過濃度とＬ＊の関係は、一般的に拡散透過濃度の値が小さくなれば、Ｌ＊の値は大きくなる。また、光源や形成された画像の分光特性によって異なるが、拡散透過濃度１．００におけるＬ＊は概ね４０前後である。
【００５３】
全光線透過率、拡散透過率、平行光線透過率の測定には、測定法Ａ、測定法Ｂの２種類がＪＩＳで規定されているが、本実施の形態で用いられる記録媒体は、積分球の開口部内径の１／１０よりも薄いことから、測定法Ａを適用して測定を行う。
【００５４】
測定法Ａでは、図２に示す積分球光線透過率測定装置によって全光線透過率、拡散透過率が測定される。この積分球光線透過率測定装置２００には積分球２０１が備えられており、標準の光Ａを発光する光源２０２からの光をレンズ２０３及び絞り２０４を介して試験片Ｓに照射し、試験片Ｓを透過した光を積分球２０１が受光器２０５に集光することにより、受光器２０５が試験片Ｓを透過した光量を測定する。
【００５５】
積分球２０１は、図４に示すように、内部が空洞の略球状で内面が反射するように形成されている。この積分球２０１は、試験片Ｓが取り付けられるとともに試験片Ｓを透過した光が入射する円形の入口開口２０１ａと、入口開口２０１ａに対向する円形の出口開口２０１ｂと、受光器２０５が取り付けられる受光器開口２０１ｃとを備える。なお入口開口２０１ａの面積ａ、出口開口２０１ｂの面積ｂ、受光器開口２０１ｃの面積ｃの総和（ａ＋ｂ＋ｃ）は、球内表面積の４％以下とする。また、出口開口２０１ｂと入口開口２０１ａとの中心線は球の同一大円上にあって、出口開口２０１ｂの直径と入口開口２０１ａの中心とのなす角度は８度以内に設定される。
また積分球２０１は、図３に示すように、出口開口２０１ｂを開閉する標準白色板２０６と、出口開口２０１ｂ及び標準白色板２０６を積分球２０１外部から覆う着脱自在のライトトラップ２０７とを備える。
【００５６】
標準白色板２０６は、可視光線の全波長に対して一様な高い反射率を有しており、入口開口２０１ａから入射した光を積分球２０１内部に反射する。上記した反射率を有する材料としては、酸化マグネシウム、硫酸バリウム、酸化アルミニウムなどが挙げられる。また、積分球２０１の内面にも標準白色板２０６と同一反射率を有するものを塗布する。
【００５７】
試験片Ｓを照らす光速Ｌは、ほとんど平行光線で、光軸から３度以上ずれる光線があってはならない。光速Ｌの中心は、出口開口２０１ｂの中心に一致させる。出口開口２０１ｂにおける光速Ｌの断面は円形であって、鮮明でなければならない。このときの光速Ｌの直径と入口開口２０１ａの中心とのなす角度は、出口開口２０１ｂの直径と入口開口２０１ａの中心とのなす角度よりも１．３±０．１度だけ小さくする。
【００５８】
ライトトラップ２０７は、試験片Ｓを入口開口２０１ａに取り付けないとき、又は標準白色板２０６を開状態としたときは、照射された光を完全に吸収する。
【００５９】
受光器２０５の総合感度は、視覚度フィルターを用いて標準の光Ｃにおけるルーター条件のＹ（三刺激値ＸＹＺのＹ）の値を満足していなければならない。ただし、特に指定のある場合は、標準の光Ａにおけるルーター条件のＹの値を満足したもので測定してもよい。
【００６０】
試験片Ｓは、本実施の形態における記録媒体を、測定に適したサイズ（例えば５０×５０ｍｍ、厚みは原厚）に切断したものである。試験片Ｓの個数は、３個が好ましい。
【００６１】
積分球光線透過率測定装置２００による測定方法について説明すると、先ず、測定者は、標準白色板２０６で出口開口２０１ｂを閉じ、受光器２０５が１００（Ｔ１）を示すように光源２０２の発光量を調整する。このように、Ｔ１を１００に設定しておくので、透過される光の光量（濃度）と透過率とが対応する。
そして、標準白色板２０６が閉状態のままで、測定者は試験片Ｓを入口開口２０１ａに取り付けて、試験片Ｓの全光線透過光量（Ｔ２）を測定する。
その後、測定者は、標準白色板２０６を開状態とするともに、試験片Ｓを取り外してから、ライトトラップ２０７を取り付けて装置の散乱光量（Ｔ３）を測定する。
そして、ライトトラップ２０７を取り付けた状態で、試験片Ｓを取り付けて装置と試験片Ｓによる散乱光量（Ｔ４）を測定する。
【００６２】
各光量（Ｔ２〜Ｔ４）が測定されると、これらを基に全光線透過率Ｔｔ（％）、拡散透過率Ｔｄ（％）、平行光線透過率Ｔｐ（％）を算出する。
全光線透過率Ｔｔ（％）、拡散透過率Ｔｄ（％）、平行光線透過率Ｔｐ（％）を算出する際の関係式は、Ｔｔ＝Ｔ２、Ｔｄ＝（Ｔ４−Ｔ３）×（Ｔ２／１００）、Ｔｐ＝Ｔｔ−Ｔｄである。なお、全光線透過率Ｔｔ、拡散透過率Ｔｄ、平行光線透過率Ｔｐは、小数点以下１桁まで求める。
【００６３】
そして、拡散透過濃度Ｄｄ、ＱファクタＱ、ヘーズＨを関係式（Ｄｄ＝−ｌｏｇ（Ｔｔ／１００）、Ｄｐ＝−ｌｏｇ（Ｔｐ／１００）、Ｑ＝Ｄｐ／Ｄｄ、Ｈ（％）＝Ｔｄ／Ｔｔ×１００）により算出する。
【００６４】
拡散透過濃度が１．００となるように画像形成された際のＱファクタを測定するためには、所定の面積にわたって拡散透過濃度が１．００となるように画像を記録することが必要である。所定の面積は図３に示す積分球光線透過率測定装置１で測定可能な面積であればよい。実際の診断画像には所定の面積にわたって拡散透過濃度が１．００である部分が必ずしも存在しないが、複数の一定信号値を有するテスト画像信号を記録して測定することができる。例えば、記録できる最大濃度Ｄｍａｘ、記録できる最低濃度をＤｍｉｎ、ｎを０〜１０までの整数とし、５０ｍｍ四方の正方形１１個中のｎ番目の正方形における記録画像濃度がＤｍｉｎ＋０．１×ｎ×（Ｄｍａｘ−Ｄｍｉｎ）に対応する一定信号値となるようなテスト画像を作成して記録し、各々の正方形の拡散透過濃度を測定する。拡散透過濃度が１．００である正方形があれば、その部分のＱファクタを測定すればよい。拡散透過濃度がちょうど１．００となる正方形が無ければ、拡散透過濃度が１．００よりも高い値及び低い値で最も１．００に近い部分のＱファクタを求め、拡散透過濃度１．００における内挿値を求めればよい。
Ｌ＊が４０となるように画像形成された際のＱファクタを測定するためには、上述のような複数の正方形テスト画像のうち、Ｌ＊が４０である正方形があれば、その部分のＱファクタを測定すればよい。Ｌ＊が４０である正方形が無ければ、Ｌ＊が４０よりも高い値及び低い値で最も４０に近い部分のＱファクタを求め、Ｌ＊が４０における内装値を求めればよい。
【００６５】
次に、本実施の形態の医用画像記録システムで用いられる濃度の異なる黒インクＫ１〜Ｋ４について説明する。
【００６６】
本実施の形態で用いられる黒インクＫ１〜Ｋ４は適切な色材を用いて調合することができる。色材としては、顔料又は染料を用いることができ、それぞれ一種類でも複数種類組み合わせてもよく、顔料と染料を併用してもよい。
【００６７】
例えば顔料ではカーボンブラックを用い、エチレングリコール類、界面活性剤又は防腐剤等を混合し、常温で液体の水溶性である黒色インクが得られる。
カーボンブラック以外の顔料としては、従来公知の有機及び無機顔料が使用できる。例えばアゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料等の無機顔料が挙げられる。
【００６８】
顔料の分散方法としては、ボールミル、サンドミル、アトライター、ロールミル、アジテータ、ヘンシェルミキサ、コロイドミル、超音波ホモジナイザー、パールミル、湿式ジェットミル、ペイントシェーカー等各種を用いることができる。また、顔料の分散を行う際に分散剤を添加することも可能である。分散剤として、アニオン系、ノニオン系界面活性剤、または高分子分散剤等が挙げられる。
【００６９】
染料としては、水溶性染料、油容性染料を用いることができる。
水溶性染料としては、例えば直接染料、酸性染料、塩基性染料、反応性染料が挙げられる。
【００７０】
直接染料としては、Ｃ．Ｉ．（カラーインデックス）ダイレクトブラック９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９９、ＣＩフードブラック２、Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３、Ｃ．Ｉ．ダイレクトレッド２、２６、３１、６２、６３、７２、７５、７６、７９、８０、８１、８３、８４、８９、９２、９５、１１１、１７３、１８４、２０７、２１１、２１２、２１４、２１８、２２１、２２３、２２４、２２５、２２６、２２７、２３２、２３３、２４０、２４１、２４２、２４３、２４７、Ｃ．Ｉ．ダイレクトバイオレット７、９、４７、４８、５１、６６、９０、９３、９４、９５、９８、１００、１０１、Ｃ．Ｉ．ダイレクトブルー１、１０、１５、２２、２５、５５、６７、６８、７１、７６、７７、７８、８０、８４、８６、８７、９０、９８、１０６、１０８、１０９、１５１、１５６、１５８、１５９、１６０、１６８、１８９、１９２、１９３、１９４、１９９、２００、２０１、２０２、２０３、２０７、２１１、２１３、２１４、２１８、２２５、２２９、２３６、２３７、２４４、２４８、２４９、２５１、２５２、２６４、２７０、２８０、２８８、２８９、２９１等が挙げられる。
【００７１】
酸性染料としては、Ｃ．Ｉ．アシッドブラック７、２４、２９、４８、５２：１、１７２、Ｃ．Ｉ．アシッドイエロー１７、１９、２３、２５、３９、４０、４２、４４、４９、５０、６１、６４、７６、７９、１１０、１２７、１３５、１４３、１５１、１５９、１６９、１７４、１９０、１９５、１９６、１９７、１９９、２１８、２１９、２２２、２２７、Ｃ．Ｉ．アシッドレッド３５、４２、５２、５７、６２、８０、８２、１１１、１１４、１１８、１１９、１２７、１２８、１３１、１４３、１５１、１５４、１５８、２４９、２５４、２５７、２６１、２６３、２６６、２８９、２９９、３０１、３０５、３３６、３３７、３６１、３９６、３９７、Ｃ．Ｉ．アシッドバイオレット５、３４、４３、４７、４８、９０、１０３、１２６、Ｃ．Ｉ．アシッドブルー９、２５、４０、４１、６２、７２、７６、７８、８０、８２、９２、１０６、１１２、１１３、１２０、１２７：１、１２９、１３８、１４３、１７５、１８１、２０５、２０７、２２０、２２１、２３０、２３２、２４７、２５８、２６０、２６４、２７１、２７７、２７８、２７９、２８０、２８８、２９０、３２６等が挙げられる。
【００７２】
塩基性染料としては、Ｃ．Ｉ．ベーシックブラック８、Ｃ．Ｉ．ベーシックイエロー１、２、４、１１、１３、１４、１５、１９、２１、２３、２４、２５、２８、２９、３２、３６、３９、４０、Ｃ．Ｉ．ベーシックレッド１２、１３、１４、１５、１８、２２、２３、２４、２５、２７、２９、３５、３６、３８、３９、４５、４６、Ｃ．Ｉ．ベーシックバイオレット１、２、３、７、１０、１５、１６、２０、２１、２５、２７、２８、３５、３７、３９、４０、４８、Ｃ．Ｉ．ベーシックブルー１、３、５、７、９、２２、２６、４１、４５、４６、４７、５４、５７、６０、６２、６５、６６、６９、７１等が挙げられる。
【００７３】
反応性染料としては、Ｃ．Ｉ．リアクティブブラック４、５、８、１４、２１、２３、２６、３１、３２、３４、Ｃ．Ｉ．リアクティブイエロー２、３、１３、１４、１５、１７、１８、２３、２４、２５、２６、２７、２９、３５、３７、４１、４２、Ｃ．Ｉ．リアクティブレッド３、１３、１７、１９、２１、２２、２３、２４、２９、３５、３７、４０、４１、４３、４５、４９、５５、Ｃ．Ｉ．リアクティブバイオレット１、３、４、５、６、７、８、９、１６、１７、２２、２３、２４、２６、２７、３３、３４、Ｃ．Ｉ．リアクティブブルー２、３、５、８、１０、１３、１４、１５、１７、１８、１９、２１、２５、２６、２７、２８、２９、３８、等が挙げられる。
【００７４】
インクに用いる水溶性有機溶媒の例としては、アルコール類（例えばメタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えばエチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えばエチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えばエタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えばホルムアミド、Ｎ，Ｎ−ジメチルホルムアミド、Ｎ，Ｎ−ジメチルアセトアミド等）、複素環類（例えば２−ピロリドン、Ｎ−メチル−２−ピロリドン、シクロヘキルピロリドン、２−オキサゾリドン、１，３−ジメチル−２−イミダゾリジノン等）、スルホキシド類（例えばジメチルスルホキシド等）、スルホン類（例えばスルホラン等）、尿素、アセトニトリル、アセトン等が挙げられる。
インクに含まれる有機溶媒の含有重量比は、ｈａｂの変化を小さくするという観点で４０％以下が好ましい。有機溶媒の含有重量比が大きいと透過状態で画像を観察する際に、黄色みを帯びてしまいｈａｂが急激に減少してしまう。また、インクが乾きにくく、適切な粘度に保つという観点で有機溶媒の含有重量比は１０％以上が好ましい。
【００７５】
インクには必要に応じて界面活性剤を添加してもよい。インクに好ましく使用される界面活性剤としては、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第４級アンモニウム塩類等のカチオン性界面活性剤が挙げられる。
インクにはこの他に防腐剤、防黴剤、ｐＨ調整剤、粘度調整剤等を必要に応じて添加することも可能である。
【００７６】
なお、Ｑファクタを本発明の範囲に収めるためには、記録媒体のインク吸収層の内部にまで、色材が染み込んでいることが好ましい。染料の方が顔料よりもインク吸収層内部に染み込みやすいので、その観点で染料インクが好ましい。一方、顔料インクの方が化学的に安定であり、画像保存性の観点では顔料インクが好ましい。
【００７７】
本実施の形態においては、上記したようにインクジェットヘッド１２０ａ〜１２０ｄを用いて、濃度の異なる複数の黒インクＫ１〜Ｋ４を吐出させて画像を形成しているので、高画質のモノクロ画像が得られる。
この各黒インクＫ１〜Ｋ４の色調及び画像形成時におけるこれらインクの組み合わせは、画像形成後のＬ＊が２０から、蛍光灯光源によって画像未形成部が透過された際のＬ＊の値までの範囲では、蛍光灯光源によって透過された際のｈａｂが、画像未形成部のｈａｂに対して±１５度の範囲に収まるように、好ましくは±１０度の範囲に収まるように選択されている。このような黒インクＫ１〜Ｋ４の組み合わせを用いて記録媒体４に画像を形成すれば、Ｌ＊の変化、つまり画像濃度の変化に伴うｈａｂの変化量を小さくすることができる。このため、蛍光灯光源で透過された画像は、安定した色調で表示され、診断者に違和感を与えることなく画像を表示することができる。したがって、湿式現像処理を行わなくとも、観察に適した画像を表示できる。
【００７８】
また、画像形成後のＬ＊が２０から、蛍光灯光源によって画像未形成部が透過された際のＬ＊の値までの範囲では、蛍光灯光源によって透過された際のａ＊がＬ＊の減少に伴って徐々に増加するように、各黒インクＫ１〜Ｋ４の色調及び画像形成時におけるこれらインクの組み合わせが設定されることが好ましい。このような黒インクＫ１〜Ｋ４の組み合わせを用いて記録媒体４に画像を形成すれば、Ｌ＊の減少（画像濃度の増加）に伴って徐々に色味（特に緑から無色に向かって）がなくなるように表示される。このため、透過された画像は安定した色調で表示され、診断者に違和感を与えることなく画像を表示することができる。
【００７９】
さらに、蛍光灯光源によって透過された際の（ａ＊２＋ｂ＊２）０．５がＬ＊の減少に伴って徐々に減少するように、各黒インクＫ１〜Ｋ４の色調及び画像形成時におけるこれらインクの組み合わせが設定されることが好ましい。このような黒インクＫ１〜Ｋ４の組み合わせを用いて記録媒体４に画像を形成すれば、Ｌ＊の減少（画像濃度の増加）に伴って徐々に色味（特に緑から無色や青から無色に向かって）がなくなるように表示される。このため、透過された画像は安定した色調で表示され、診断者に違和感を与えることなく画像を表示することができる。
【００８０】
ここで、各黒インクＫ１〜Ｋ４は、色相の異なる複数の色材を含有することが好ましく、ブラック色材、マゼンタ色材、イエロー色材をそれぞれ少なくとも１種以上含有することによって、Ｌ＊の変化、つまり画像濃度の変化に伴うｈａｂの変化量を小さくすることが容易になる。さらに、各色材の含有量（重量）を、ブラック、マゼンタ、イエローの順に大きくすることにより、蛍光灯光源によって透過された際のａ＊がＬ＊の減少に伴って徐々に増加するような設定が容易にできて好ましい。
各黒インクＫ１〜Ｋ４が色相の異なる複数の色材を含有する場合、上述のように色材の種類と含有量の選択を工夫することによって、色相が異なる複数の色材の含有量の比が、濃度の異なる黒インクＫ１〜Ｋ４のいずれにおいても同じであっても本発明の効果が得られるが、濃度の異なる黒インクＫ１〜Ｋ４のうち、少なくとも２つの黒インクにおける複数の色材の含有量の比が異なっていることが好ましく、さらに濃度の異なる３以上の黒インクのいずれにおいても、複数の色材の含有量の比が異なっていることが好ましい。このようにすれば、濃度が異なる３以上の黒インクのいずれにおいても複数の色材の含有量の比が同じ場合より、Ｌ＊の変化、つまり画像濃度の変化に伴うｈａｂの変化量をより小さくすることができる。
【００８１】
ここで、複数の色材の含有量の比が異なるとは、ある濃度のインクに含まれる色材のうち少なくとも１つの色材が、他の濃度のインクには含まれない、すなわち含有量の比が０である場合も含むものとする。
また、インク濃度の増大に伴って、イエロー色材の含有量に対するマゼンタ色材の含有量の比が単調非増加する（同じか減少する）ように設定すると、Ｌ＊の変化、つまり画像濃度の変化に伴うｈａｂの変化量を一層小さくすることができて好ましい。
ここで、インクの濃度の高低は、同一の記録媒体に同量のインクを均一に付着させた時の蛍光灯光源の透過光に基づくＬ＊が小さい程インク濃度が高いと定義する。
【００８２】
特開２００２−２０１３８９の実施例は、濃淡２濃度の黒インクにおいて、マゼンタ色材の含有量の、他の色材の含有量に対する比が高濃度インクで高くなるように構成することによって、階調性の良い画像を得ている。しかしながら、特開２００２−２０１３８９の発明の思想は、最も発色性の高い（最も拡散性の大きい）色材の比率を淡色インクで上げることであり、たまたま実施例においてマゼンタの拡散性が最も大きかったので、マゼンタ色材の含有量の、他の色材の含有量に対する比が高濃度インクで高くなるように構成したに過ぎない。仮に、イエローの拡散性が最も大きければ、イエロー色材の含有量の、他の色材の含有量に対する比が高濃度インクで高くなるように構成すべきものである。これは、当該発明が反射記録媒体に画像を記録することを目的としており、反射画像においては色材の拡散性が画像色調に多大な影響を与えるからである。
【００８３】
一方、本願発明は、光透過性の記録媒体に画像を記録するものであり、透過画像においては色材の拡散性が画像色調に与える影響は小さく、色材の分光透過率そのものの影響が支配的である。従って、インクの拡散性の大小にかかわらず、インク濃度の増大に伴って、イエロー色材の含有量に対するマゼンタ色材の含有量の比が単調非増加する（同じか減少する）ように設定することによって本願発明の効果が得られるのであり、技術思想が異なる。
【００８４】
さらに言えば、特開２００２−２０１３８９の発明では、濃淡２濃度のインクしか使っておらず、また、白色の反射記録媒体に記録しているので、本願発明と構成が異なる上に、医療診断用の高画質の透過画像を提供するという本願発明の目的を達することができない。
【００８５】
本実施態様の制御手段は、入力された医用画像信号に応じて、複数のセルから構成されるドットマトリクス内にドットを形成して階調記録するように制御を行う。例えば、２×２の４セルからなるマトリクス内にどの濃度の黒インクをどれだけの量吐出するかの組み合わせを変えることによって、多段階の階調を表現できる。濃度の異なる黒インクＫ１〜Ｋ４のうち、少なくとも２つの黒インクにおける複数の色材の含有量の比が異なっている場合には、ドットマトリクス内のインクの組み合わせ方によって、画像色調が異なる。記録される画像濃度の増大または減少する際にｈａｂの変化が小さく、変化しても緩やかであるようにインクの組み合わせが選択されていることが好ましい。例えば、ドットマトリクス内にドットを形成するインクの濃度は１種類もしくはインク濃度の順に隣接する２種類とし、２種類の濃度のインクでドットを形成する場合には、記録される画像濃度の増大に伴って、ドットマトリクス内に吐出される濃い方のインクの量が単調非減少で薄い方のインクの量が単調非増加となるように、インクの組み合わせを選択すれば良い。
【００８６】
以上の実施形態では２×２のドットマトリクス内に複数のインクドットを形成することにより記録媒体上に濃度階調を表す場合で説明を行ったが、これに限定されるものではなく、各種の中間調画像形成方法に本発明を適用することが可能である。
例えば、３×３や４×４などのようにマトリクスサイズを変えても良いし、誤差拡散法によって擬似中間調表現を行ってもよい。また、ドットマトリクス法と誤差拡散法を組み合わせて用いてもよい。
【００８７】
【実施例】
以下に実施例を挙げて、本発明の実施の形態を具体的に説明するが、本発明
の実施態様はこれらに限定されるものではない。
【００８８】
〔記録媒体の作製〕
「支持体１の作製」
支持体１は、２，６−ナフタレンジカルボン酸ジメチルエステル１００部とエチレングリコール６０部とを、エステル交換触媒として酢酸コバルト４水塩０．０３部（１．２３モル）を使用して、常法に従ってエステル交換反応させた後、トリメチルフォスフェート０．０２３部（１．６４モル）を添加し更に三酸化アンチモン０．０２４部（０．８２モル）を添加後、引き続き高温高真空下で常法通り重縮合反応を行ない、固有粘度（フェノール／テトラクロロエタン混合溶媒にて、３５℃で測定）０．６０ｄｌ／ｇのポリエチレンナフタレートを得た。このポリエチレンナフタレートのペレットを１８０℃で３時間乾燥後、押出機ホッパーに供給し、溶融温度３００℃で溶融し、この溶融ポリマーを２ｍｍのスリット状ダイを通して表面温度４０℃の回転冷却ドラム上に押出し、未延伸フィルムを得た。このようにして得られた未延伸フィルムを１２０℃にて予熱し、更に低速、高速のロール間で１５ｍｍ上方より９００℃の表面温度のＩＲヒーター１本にて加熱して３．０倍に延伸し、続いてステンターに供給し、１４０℃にて横方向に３．２倍に延伸した。得られた二軸配向フィルムを２３０℃の温度で１０秒間熱固定し、厚み１７５μｍのポリエチレンナフタレート二軸配向フィルムを得た。この二軸配向フィルムを１１５℃にて２日間熱処理した。
【００８９】
「支持体２の作製」
重縮合反応前に、染料Ｎｏ．８を６０ｍｇ／ｍ２加えた以外は、支持体１と同様に支持体２を作製した。得られた支持体２の透過濃度は０．１２であった。
【００９０】
支持体２の一方の面に８Ｗ・分／ｍ２のコロナ放電処理を施し、下記下引液ａ−１を１０ｍｌ／ｍ２になるように塗布し、１００℃で１分乾燥し、下引層Ａ−１とした。次いで、下引層Ａ−１の表面に８Ｗ・分／ｍ２のコロナ放電処理を施し、下記下引上層液ａ−２を１０ｍｌ／ｍ２になるように塗布し、１００℃で１分乾燥し、下引上層Ａ−２とした。また、Ａ−２と反対側の面に８Ｗ・分／ｍ２のコロナ放電処理を施し、下引液ｂ−１を１０ｍｌ／ｍ２になるように塗布し１００℃で１分乾燥し、下引層Ｂ−１とした。ついで下引層Ｂ−１の表面に８Ｗ・分／ｍ２のコロナ放電処理を施し下記下引上層液ａ−２を１０ｍｌ／ｍ２になるように塗布し、１００℃で１分乾燥し下引上層Ｂ−２とした。この両面下引きしたＰＥＴフィルムを１４０℃２分熱処理した。
【００９１】
＜下引液ａ−１の調整＞
共重合体（ブチルアクリレート３０重量％、ｔ−ブチルアクリレート２０重量
％、スチレン２５重量％、２−ヒドロキシエチルメタクリレート２５重量％）、
ラテックス液（固形分３０％）                                    ２７０ｇ
Ｃ−１（５％水溶液）                                      １２ｇ
ヘキサメチレン−１，６−ビス（エチレンウレア）（２０％メタノール溶液）８ｇ
純水で全量が１０００ｍｌとなるように仕上げる。
【００９２】
＜下引液ｂ−１の調整＞
共重合体（ブチルアクリレート４０重量％、スチレン２０重量％、グリシジル
メタクリレート４０重量％）ラテックス液（固形分３０％）    ２７０ｇ
Ｃ−１（５％水溶液）                                      １２ｇ
ヘキサメチレン−１，６−ビス（エチレンウレア）（２０％メタノール溶液）８ｇ
純水で全量が１０００ｍｌとなるように仕上げる。
【００９３】
＜下引上層液ａ−２の調整＞
ゼラチン                                                  １０ｇ
Ｃ−１（５％水溶液）                                        ４ｇ
Ｃ−２（５％水溶液）                                        ４ｇ
Ｃ−３（０．５％水溶液）                                  ２０ｇ
Ｃ−Ｆ                                                  ０．１ｇ
平均粒径約３μｍのシリカ粒子（１％水分散液）            １００ｇ
純水で全量が１０００ｍｌとなるように仕上げる。
【００９４】
【化３】
2004181812.tif 000007
【００９５】
［バックコート層（ＢＣ）］
支持体２の下引上層Ａ−２上に下記ＢＣ塗布液を乾燥重量２．８ｇ／ｍ２となるように塗布を行ない、バックコート層を設けた。
【００９６】
＜ＢＣ塗布液の調整＞
純水８９０ｍｌにゼラチン３５ｇを加えて膨潤後、６５℃で加温溶解させ４０℃で保温する。次いで、マット剤分散液−１を８ｍｌ、フッ素系界面活性剤Ｃ−６（１０％水溶液）を６ｍｌ、硬膜剤Ｃ−４（７．５％水溶液）を１５ｍｌ混合し、純水で１０００ｍｌに仕上げた。
【００９７】
【化４】
2004181812.tif 000008
【００９８】
［試料１の作製］
バックコート層の設けられた支持体の下引上層Ｂ−２上に支持体に近い方から下記のインク受容層第１層用塗布液を塗布液厚６０μｍ、インク受容層第２層用塗布液を塗布液厚１２０μｍ、インク受容層第３層用塗布液を塗布液厚６０μｍの順で同時重層塗布した。塗布は、それそれの塗布液を４０℃で３層スライドホッパーコーターを用いて塗布し、塗布後８℃に保たれた冷却ゾーンで２０秒間冷却した。その後、２０〜３０℃の風で６０秒間、４５℃の風で６０秒間、５０℃の風で６０秒間順次乾燥し、２３℃、相対湿度４０〜６０％で２分間調湿し、記録媒体：試料１を作製した。試料１は半切サイズ（４３１．８ｍｍ×３５５．６ｍｍ）に断裁した。
【００９９】
インク受容層第１層用塗布液、インク受容層第２層用塗布液、インク受容層第３層用塗布液の調整で用いるシリカ分散液−１、シリカ分散液−２は下記により作製したものである。
【０１００】
《シリカ分散液−１の調製》
１次粒子の平均粒径が約０．００７μｍの気相法シリカ（日本アエロジル工業株式会社製：Ａ３００）１２５ｋｇを、硝酸でｐＨ＝２．５に調整した６２０リットルの純水中に、三田村理研工業株式会社製のジェットストリーム・インダクターミキサーＴＤＳを用いて、室温で吸引分散した後、純水で全量を６９４リットルに仕上げ、シリカ分散液−１を調製した。
【０１０１】
《シリカ分散液−２の調製》
２５〜３０℃の温度範囲で、カチオン性ポリマー（Ｐ−１）１．４１ｋｇおよびエタノール４．２リットルを含有する溶液（ｐＨ＝２．３）１８リットルに６９．４リットルのシリカ分散液−１を高速ホモミキサーで撹拌しながら２０分かけて添加し、次いで、ホウ酸２６０ｇとホウ砂２３０ｇを含有する水溶液（ｐＨ：７．３）７．０リットルを約１０分かけて添加し、さらに、消泡剤（サンノプコ製；ＳＮデフォーマ３８１）１ｇを添加した。得られた混合液をさらに１時間１５００ｒｐｍで高速撹拌した後、三和工業株式会社製高圧ホモジナイザーを用い、２４．５ＭＰａの圧力で２回分散し、全量を純水で９７リットルに仕上げた。得られた分散液を３０μｍの濾過精度を持つ、アドバンテック東洋（株）製のＴＣＰ−３０タイプのフィルターを用いて濾過を行ない、ほぼ澄明なシリカ分散液−２を調製した。得られた分散液のｐＨは約４．２であった。
【０１０２】
【化５】
2004181812.tif 000009
【０１０３】
《塗布液の調製》
第１層、第２層、第３層の塗布液を以下の手順で調製した。
第１層用塗布液は、６００ｍｌのシリカ分散液−２に、４０℃で撹拌しながら、以下の添加剤を順次混合し、純水で全量を１０００ｍｌに仕上げた。
（１）ポリビニルアルコール（ＰＶＡ２３５    平均重合度：３５００）（クラレ工業株式会社製）の７％水溶液：１９４．６ｍｌ
（２）ラテックスエマルジョン・ＡＥ−８０３（第一工業株式会社製）：１８ｍｌ
この塗布液のｐＨは約４．４であった。
【０１０４】
第２層用塗布液は、６５０ｍｌのシリカ分散液−２に、４０℃で撹拌しながら、以下の添加剤を順次混合し、純水で全量を１０００ｍｌに仕上げた。
（１）ポリビニルアルコール（ＰＶＡ２３５    平均重合度：３５００）（クラレ工業株式会社製）の７％水溶液：２０１．６ｍ１
（２）退色防止剤−１の５％水溶液：２０ｍｌ
この塗布液のｐＨは約４．４であった。退色防止剤−１の５％水溶液の調製は、Ｎ，Ｎ−ジスルホエチルヒドロキシルアミン−２ナトリウム塩５ｇをカチオン性ポリマー（Ｐ−１３）を３ｇ含有する９０ｍｌの水に溶解し、全量を１００ｍｌに仕上げる。
【０１０５】
第３層用塗布液は、６５０ｍｌのシリカ分散液−２に、４０℃で撹拌しながら、以下の添加剤を順次混合し、純水で全量を１０００ｍｌに仕上げた。
（１）ポリビニルアルコール（ＰＶＡ２３５    平均重合度：３５００）（クラレ工業株式会社製）の７％水溶液：２０１．６ｍｌ
（２）シリコン分散液（ＢＹ−２２−８３９）（東レ・ダウコーニング・シリコーン株式会社製）：１５ｍｌ
（３）サポニン５０％水溶液：４ｍｌ
（４）マット剤分散液−２：２０ｍｌ
この塗布液のｐＨは約４．５であった。
【０１０６】
上記のようにして得られた塗布液を、下記のフィル夕ーで濾過した。
第１層用塗布液および第２層用塗布液では、東洋濾紙株式会社製ＴＣＰ１０を２段用いた。また、第３層用塗布液では、東洋濾紙株式会社製ＴＣＰ３０を２段用いた。
【０１０７】
ここで、マット剤分散液−１は、ＭＸ７００（平均粒径７μｍ、単分散アクリル粒子：総研化学（株）製）、マット剤分散液−２は、ＭＸ１５００（平均粒径１５μｍ、単分散アクリル粒子：総研化学（株）製）である。なお、マット剤分散液−１、−２において、固形分含有量はそれぞれ１０重量％である。
【０１０８】
〔記録媒体２の作製〕
バックコート層の設けられた支持体を作製するまでは試料１と同様に行った。バックコート層の設けられた支持体の下引上層Ｂ−２上に下記のインク受容層用塗布液を塗布液厚２４０μｍ塗布した。塗布後０℃に保たれた冷却ゾーンで２０秒間冷却した。その後、４０℃の風で１５０秒間乾燥し、記録媒体：試料８を作製した。
【０１０９】
インク受容層用塗布液の調製で用いた、シリカ分散液−３、シリカ分散液−４を下記のように作製した。
【０１１０】
《シリカ分散液−３の調製》
１次粒子の平均粒径が約０．００７μｍの気相法シリカ（日本アエロジル工業株式会社製：Ａ３００）１８０ｇを、硝酸でｐＨ＝２．５に調整した１０００ｍｌの純水中に、三和工業株式会社製高圧ホモジナイザーを用いて分散し、シリカ分散液−３を調製した。
【０１１１】
《シリカ分散液−４の調製》
次にこのシリカ分散液−３中に、カチオン性ポリマーとしてＭｏｒ−１の２５％水溶液を１００ｍｌ添加し、サンノブコ（株）製消泡剤ＳＮ３８１を塗布液に対して、０．０１％添加し、３０分間高速ホモジナイザーで分散して、青白い透明な分散液を得た。次に平均重合度３００でケン化度９８％の１０％ポリビニルアルコール水溶液を１ｍｌ添加し、更に平均重合度が３５００でケン化度９５％の５％ポリビニルアルコール水溶液（酢酸エチルを４質量％含有）６００ｍｌを徐々に添加し、ついで粘度向上剤として４％ほう砂水溶液１００ｍｌを添加し、さらに２０ｍｌのエタノールを添加した。この中に下記分散物１を３０ｍｌ添加し、空隙層を形成する塗布液を調製した。
【０１１２】
【化６】
2004181812.tif 000010
【０１１３】
分散物１は、下記組成の溶液１と溶液２を調製し、混合して超音波分散機で分散した。
溶液１
ジ−ｉ−デシルフタレート                                ３．０ｇ
酢酸エチル                                                ５ｍｌ
溶液２
ゼラチン                                                １．０ｇ
界面活性剤（丸善製薬（株）製、ＱＣ−１００）            ２．８ｇ
純水                                                    ２２ｍｌ
【０１１４】
〔記録媒体３の作製〕
キャノン（株）製インクジェット用ＯＨＰフィルム（型番ＣＦ−１０２、Ａ４サイズ、膨潤型インク受容層）を２枚つなげてＡ３サイズとし、記録媒体３とした。
【０１１５】
＜インクの作製＞
ブラック染料、マゼンタ染料、イエロー染料、有機溶媒、界面活性剤、水を混合して、インクを作製した。ブラック染料としてＣ．Ｉ．フードブラック２をマゼンタ染料としてＣ．Ｉ．リアクティブレッド１８０を、イエロー染料としてＣ．Ｉ．ダイレクトイエロー８６を、有機溶媒としてエチレングリコールとジエチレングリコールを用いた。界面活性剤はオルフィン（１０質量％水溶液）を用い、水はイオン交換水を用いた。表２〜表１３に示すように、濃度の異なる４つのインクからなるインクセット１〜１２を作製した。それぞれのインクにおける染料と有機溶媒、界面活性剤、水の配合重量部は表２〜１３に示す通りである。表２〜表１３の中で各インクに符号を付している。インクセットＭのＮ番目に薄いインクの符号は、ＩＭ−ＫＮである（例えばインクセット７の３番目に薄いインクはＩ７−Ｋ３）。
【０１１６】
【表２】
2004181812.tif 000011
【０１１７】
【表３】
2004181812.tif 000012
【０１１８】
【表４】
2004181812.tif 000013
【０１１９】
【表５】
2004181812.tif 000014
【０１２０】
【表６】
2004181812.tif 000015
【０１２１】
【表７】
2004181812.tif 000016
【０１２２】
【表８】
2004181812.tif 000017
【０１２３】
【表９】
2004181812.tif 000018
【０１２４】
【表１０】
2004181812.tif 000019
【０１２５】
【表１１】
2004181812.tif 000020
【０１２６】
【表１２】
2004181812.tif 000021
【０１２７】
【表１３】
2004181812.tif 000022
【０１２８】
＜評価画像の作製＞
ノズル孔径２４μｍ、２５６個のノズルを有するインクジェットヘッドを上記４濃度の黒インクそれぞれに対応して合計４個有し、駆動周波数１２ｋＨｚで、インク射出速度６ｍ／ｓｅｃ、７ピコリットルの液滴、１４４０ドット／２５．４ｍｍ（記録密度：２．５４ｃｍ当たりのドット数）でインクを吐出できるオンデマント型インクジェットプリンタを試作した。
コニカ株式会社製のＣＲ（Ｃｏｍｐｕｔｅｄ  Ｒａｄｉｏｇｒａｐｈｙ）システムＲＥＧＩＵＳ  ＭＯＤＥＬ１５０で胸部Ｘ線正面画像を読み取った。その胸部Ｘ正面画像を表すデジタル信号及び前述の１１個の正方形からなるテスト画像信号に基づき、上記インクジェットプリンタで表１４に示す記録媒体とインクセットの組み合わせで画像をプリントし、それぞれ実施例１〜実施例９、比較例１〜比較例６とした。
【０１２９】
【表１４】
2004181812.tif 000023
【０１３０】
ここで、実施例１〜実施例９及び比較例１〜比較例６では、図５に示すように、２×２のドットマトリクス内に複数濃度のインクのドットを形成することにより、０〜３１の３２段階の階調レベルに対応する画像濃度を実現している。なお、階調レベルの番号と画像濃度は必ずしも比例関係ではない。
図５で「○」は同一箇所に１液滴、「◎」は同一箇所に２液滴の吐出を行うことを示している。記録される画像濃度の増大または減少する際にｈａｂの変化が小さくなるように、ドットマトリクス内にドットを形成するインクの濃度は１種類もしくはインク濃度の順に隣接する２種類とし、２種類の濃度のインクでドットを形成する場合には、記録される画像濃度の増大に伴って、ドットマトリクス内に吐出される濃い方のインクの量が単調非減少で薄い方のインクの量が単調非増加となるように、インクの組み合わせが選択されている。なお、階調レベル８〜２５でインク付着量が合計８液滴で一定となっている。
【０１３１】
用いた画像データは１２ビット、４０９６階調であり、０〜４０９５の信号値を取りうる。図５には階調レベルＮｏの下に対応する画像データの値が示されている。すなわち、画像データが４５の場合には階調レベル１に対応するドットパターンによって画像濃度が形成され、画像データが９０の場合には階調レベル１に対応するドットパターンによって画像濃度が形成されることを示す。以下同様に画像データと階調レベル（ドットパターン）が対応し、画像データが４０９５の場合、階調レベル３１に相当する最高濃度のドットパターンが記録されるように構成した。
【０１３２】
例えば、画像データが４６〜８９に対応する画像濃度は、階調レベル１に対応するドットマトリクスと階調レベル２に対応するドットマトリクスを組み合わせることによって記録することができる。他の階調レベルにおいても同様である。具体的には、図５のレベルＮｏと画像データが対応するように、すなわち、画像データ０が０に、画像データ４５が１に、画像データ９０が２に、・・・、画像データ３６７３が３０に、画像データ４０９５が３１に対応するような多値誤差拡散法を用い、４０９６値の画像データを３２値化した。
【０１３３】
＜評価＞
それぞれの実施例１〜実施例９及び比較例１〜６について、１１個の正方形からなるテスト画像を用いてＣＩＥＬＡＢ、Ｑファクタ、ヘーズを測定し、以下の条件を満たしていれば○、満たしていなければ×を表１４に記した。条件１及び条件２を満たしていることが、本発明に必須要件である。なお、ＣＩＥＬＡＢはＦ６蛍光灯光源の透過光に基づいて求めた。
【０１３４】
以下、各条件について説明する。
条件１：記録媒体の画像未形成部におけるｈａｂが２３０度以上２５０度以下の範囲に収まる。
条件２：画像形成部のＬ＊が２０から、画像未形成部におけるＬ＊の値までの範囲では、ｈａｂが、画像未形成部のｈａｂに対して±１５度の範囲に収まる。
条件３：画像形成部のＬ＊が２０から、画像未形成部におけるＬ＊の値までの範囲では、ｈａｂが、画像未形成部のｈａｂに対して±１０度の範囲に収まる。
条件４：画像形成部のＬ＊が２０から、画像未形成部におけるＬ＊の値までの範囲では、ｈａｂが、画像未形成部のｈａｂに対して±５度の範囲に収まる。
条件５：画像形成部のＬ＊が２０から、画像未形成部におけるＬ＊の値までの範囲では、ａ＊がＬ＊の減少に伴って徐々に増加する。
条件６：画像形成部のＬ＊が２０から、画像未形成部におけるＬ＊の値までの範囲では、（ａ＊２＋ｂ＊２）０．５がＬ＊の減少に伴って徐々に増加する。
条件７：前記記録媒体の画像未形成部におけるＱファクタが１．００以上１．５０以下であり、Ｌ＊が４０となるように画像形成された画像形成部分のＱファクタが１．００以上１．２０以下である。
条件８：記録媒体の画像未形成部におけるヘーズが５％以上１５％以下である。
【０１３５】
また、胸部Ｘ線正面画像のハードコピーに対して、画像色調（評価１）と低濃度部の描写性（評価２）を目視で１０段階評価（数値が大きいほど良い）した。目視評価は観察者１０人で行い、１０人の評価値の平均値を四捨五入して表１４に記した。総合評価は評価１と評価２の値の和である。
【０１３６】
＜比較＞
実施例１〜実施例９は条件１及び条件２を満たすことにより、比較例１〜比較例６に対して画像色調及び低濃度部の描写性の評価が高く、総合評価で１３以上が得られた。
実施例どうしの比較では、ｈａｂの変化が小さいほど画像色調の評価が高くなっている。実施例４と実施例５では、インク中の色材含有率は全く同じであるが、実施例４で用いているインクセット９の方が有機溶媒の含有量が少なく、透過状態で観察する時の黄色みが少ない結果、ｈａｂの変化をより小さくすることができた。実施例６と実施例７では、４濃度の黒インクのいずれにおいても、マゼンタ染料含有量のイエロー染料含有量に対する比率が異なり、インク濃度の増大に伴って、イエロー染料の含有量に対するマゼンタ染料の含有量の比が単調非増加するように調製したことにより、ｈａｂの変化をそれぞれ−３．３〜＋２．０、±０〜＋２．２の範囲に収めることができ、画像色調で非常に高い評価を得ている。
また、条件５を満たしていると、より高い画像色調の評価値が得られている。条件７と条件８を満たしていると低濃度部の描写性の評価値が高くなり、総合評価も高くなっている。
【０１３７】
実施例１、実施例７、比較例１、比較例５及び市販されているインクジェットプリンタ（エプソン製ＰＭ−９５０Ｃ、キャノン製ＢＪＦ９０００）の画像濃度の変化に伴う位相角ｈａｂの変化を図６に示す。なお、画像濃度は図中の矢印Ｄ、Ｅ、Ｆ、Ｇ、Ｈ、Ｉに沿って濃くなり、明度Ｌ＊は低くなる。
図６に示すように、比較例１、比較例５、ＰＭＣ９５０−Ｃ、ＢＪＦ９０００では、画像濃度の変化に伴って、位相角ｈａｂが大きく変化しているが、実施例１、実施例７であれば、画像濃度が変化しても位相角度ｈａｂはほとんど変わっていないことが分かる。このように、実施例１、７では、画像濃度の変化に伴うｈａｂの変化量が小さいため、蛍光灯光源で透過された画像を、安定した色調で表示することができる。
【０１３８】
【発明の効果】
本発明によれば、Ｌ＊の変化、つまり画像濃度の変化に伴うｈａｂの変化量を小さくすることができるため、蛍光灯光源で透過された画像は、安定した色調で表示され、診断者に違和感を与えることなく画像を表示することができる。したがって、湿式現像処理を行わなくとも、観察に適した画像を表示できる。
また、蛍光灯光源で透過された画像は、Ｌ＊の減少に伴って徐々に色味がなくなるように表示される。このため、透過された画像は安定した色調で表示され、診断者に違和感を与えることなく画像を表示することができる。光散乱に起因する黄濁が抑えられて、画像形成後の画像濃度の低い部分であっても好ましい色調にすることができ、また、観察光源の光拡散状態によらず安定した濃度階調で画像を表示できる。したがって、湿式現像処理を行わなくとも、観察に適した画像を表示できる。
【図面の簡単な説明】
【図１】本実施の形態の医用画像記録システムで用いられる画像記録装置の主要構成部を表すブロック図である。
【図２】図１の医用画像記録システムで用いられる記録媒体の位相角度を表すａ＊−ｂ＊線図である。
【図３】図２の記録媒体の全光線透過率、拡散透過率を測定する積分球光線透過率測定装置の側断面図である。
【図４】図２の積分球光線透過率測定装置に備わる積分球を表す側断面図である。
【図５】実施例及び比較例のドットパターン
【図６】実施例及び比較例のａ＊−ｂ＊線図である。
【図７】従来の湿式銀塩方式及びドライ銀塩方式で画像形成した際のａ＊−ｂ＊線図である。
【符号の説明】
４      記録媒体（記録媒体）
１０１      制御手段
１０２ａ    インクジェットヘッド
１０２ｂ    インクジェットヘッド
１０２ｃ    インクジェットヘッド
１０２ｄ    インクジェットヘッド
Ｋ１〜Ｋ４  黒インク
【図１】
2004181812.tif 000024
【図２】
2004181812.tif 000025
【図３】
2004181812.tif 000026
【図４】
2004181812.tif 000027
【図５】
2004181812.tif 000028
【図６】
2004181812.tif 000029
【図７】
2004181812.tif 000030